(57)【要約】【課題】電源をオンすると、映像受信装置に接続される再生手段によって再生される記録媒体の記録内容の概要を示すサムネイルインデックス画像を表示する映像受信装置を提供することである。【解決手段】テレビモニタ２を備え、再生手段２０が接続される映像受信装置１を以下のように構成する。映像受信装置１の電源がオンされると、再生手段２０の記録媒体２３より記録媒体サムネイルインデックス画像を読み込むとともに、この記録媒体サムネイルインデックス画像をテレビモニタ２に表示する。【選択図】  図２
2005020597.tif 000002
【特許請求の範囲】
【請求項１】
放送局より送信される放送チャンネルを受信し、受信した放送チャンネルの放送内容を出力するためのテレビモニタを備える映像受信装置であって、
当該映像受信装置に接続され記録媒体の記録内容を再生する再生手段を制御し、該再生手段によって再生された記録内容を前記テレビモニタに出力するようにされており、
前記記録媒体には該記録媒体の記録内容のインデックスを示す記録媒体サムネイルインデックス画像が記録されており、
当該映像受信装置の動作を制御する制御部を備えるとともに、
当該映像受信装置の電源がオンされると、前記制御部が、前記再生手段を制御して前記記録媒体より前記記録媒体サムネイルインデックス画像を読み出し、該記録媒体サムネイルインデックス画像を前記テレビモニタに出力する映像受信装置。
【請求項２】
当該映像受信装置により受信することができる放送チャンネルのインデックスを示す放送チャンネルインデックス画像を記憶するための放送チャンネルインデックス画像記憶部を有し、
放送チャンネルを受信するためのチューナに受信するべき放送チャンネルを順次に設定するとともに、受信した放送チャンネルの放送内容中の一画像を放送チャンネルごとに順次に前記放送チャンネルインデックス画像記憶部に記憶して前記放送チャンネルインデックス画像を形成するようにされており、
前記テレビモニタに出力する画像を形成するための画像形成部を備え、
前記画像形成部において、前記記録媒体サムネイルインデックス画像と前記放送チャンネルインデックス画像とから複合インデックス画像が形成されるようにされており、
当該映像受信装置の電源がオンされると、前記複合インデックス画像を前記テレビモニタに出力する請求項１に記載の映像受信装置。
【請求項３】
テレビモニタの一画面にわたって表示される画像を分割して前記一画面に表示する処理を行う画面分割部を備え、
前記画面分割部により前記複合インデックス画像を前記記録媒体サムネイルインデックス画像と前記放送チャンネルインデックス画像とに分割し、
前記記録媒体サムネイルインデックス画像を前記テレビモニタの一画面の第一の領域に表示するとともに、前記放送チャンネルインデックス画像を前記テレビモニタの一画面の第二の領域に表示することを特徴とする請求項２に記載の映像受信装置。
【請求項４】
前記再生手段が複数接続され、各々の前記再生手段によって再生される記録媒体の各々に記録媒体サムネイルインデックス画像が記録されており、
テレビモニタに出力する画像を形成するための画像形成部を備え、
前記記録媒体の複数より前記記録媒体サムネイルインデックス画像の複数を読み出し、読み出した複数の記録媒体サムネイルインデックス画像より一画像からなる記録媒体合成インデックス画像を画像形成部において合成するようにされており、
映像受信装置の電源がオンされると、前記記録媒体合成インデックス画像をテレビモニタに表示するように構成された請求項１に記載の映像受信装置。
【請求項５】
前記再生手段として、当該映像受信装置の本体内に設置されるものが設けられることを特徴とする請求項１乃至４のいずれかに記載の映像受信装置。
【請求項６】
前記再生手段として、当該映像受信装置以外の外部の装置として設置された再生装置が接続されることを特徴とする請求項１乃至５のいずれかに記載の映像受信装置。
【請求項７】
請求項６に記載された映像受信装置と、該映像受信装置以外の外部の装置として設置された前記再生装置と、を備えてなる映像受信システム。
【発明の詳細な説明】
【０００１】
【発明の属する技術分野】
本発明は、映像受信装置及び映像受信システムに関する。
【０００２】
【従来の技術】
映像受信装置は、放送局より送信される放送チャンネルを受信し、受信したチャンネルの放送信号に基づく映像や音声をテレビモニタに出力する。これにより、映像受信装置を使用するユーザが放送局により放送される放送番組を視聴することができる。
【０００３】
また、映像受信装置には、これに接続されるＤＶＤ（ディジタルバーサタイルディスク）プレーヤやＶＴＲ（ビデオテープレコーダ）等の再生手段を制御し、ＤＶＤディスクやビデオテープ等の記録媒体を再生してテレビモニタに出力するようにされるものもある。
【０００４】
ところで、記録媒体を再生して表示する画像再生装置にあっては、記録媒体の記録内容の一覧であるサムネイルインデックス画像を表示するようにされている（例えば、特許文献１参照）。
【０００５】
このサムネイルインデックス画像により、画像再生装置のユーザは、記録媒体中の記録内容の全体の概要を把握することができる。そして、ユーザは、サムネイルインデックス画像の表示に基づき、記録媒体中の視聴したいコンテンツを選択して再生することができる。
【０００６】
【特許文献１】
特開２００１−２１１４０７。
【０００７】
【発明が解決しようとする課題】
ここで、従来の映像受信装置や画像再生装置にあっては、電源がオンされた後に直ちに前記記録媒体のサムネイルインデックス画像を表示することはできなかった。
【０００８】
そして、このサムネイルインデックス画像を表示するためには、映像受信装置等の動作を開始させた後に一定の操作を要求された。従って、記録媒体中の記録内容の概要を把握し、視聴したいコンテンツを選択するまでに煩雑な操作を行わなければならなかった。
【０００９】
そこで、本発明は、煩雑な操作を要求されることなく、記録媒体中の記録内容の概要を示すサムネイルインデックス画像を簡易に表示することができる映像受信装置及び映像受信システムを提供することを目的とする。
【００１０】
【課題を解決するための手段】
上記課題を解決するため、本発明は、放送局より送信される放送チャンネルを受信し、受信した放送チャンネルの放送内容を出力するためのテレビモニタを備える映像受信装置であって、
当該映像受信装置に接続され記録媒体の記録内容を再生する再生手段を制御し、該再生手段によって再生された記録内容を前記テレビモニタに出力するようにされており、
前記記録媒体には該記録媒体の記録内容のインデックスを示す記録媒体サムネイルインデックス画像が記録されており、
当該映像受信装置の動作を制御する制御部を備えるとともに、
当該映像受信装置の電源がオンされると、前記制御部が、前記再生手段を制御して前記記録媒体より前記記録媒体サムネイルインデックス画像を読み出し、該記録媒体サムネイルインデックス画像を前記テレビモニタに出力する映像受信装置である（請求項１）。
【００１１】
本発明の映像受信装置によると、電源をオンすると、テレビモニタに前記記録媒体サムネイルインデックス画像が表示される。これにより、映像受信装置に接続される再生手段によって再生される記録媒体の記録内容の概要を容易に確認することができる。
【００１２】
また、前記映像受信装置を、当該映像受信装置により受信することができる放送チャンネルのインデックスを示す放送チャンネルインデックス画像を記憶するための放送チャンネルインデックス画像記憶部を有し、
放送チャンネルを受信するためのチューナに受信するべき放送チャンネルを順次に設定するとともに、受信した放送チャンネルの放送内容中の一画像を放送チャンネルごとに順次に前記放送チャンネルインデックス画像記憶部に記憶して前記放送チャンネルインデックス画像を形成するようにされており、
前記テレビモニタに出力する画像を形成するための画像形成部を備え、
前記画像形成部において、前記記録媒体サムネイルインデックス画像と前記放送チャンネルインデックス画像とから複合インデックス画像が形成されるようにされており、
当該映像受信装置の電源がオンされると、前記複合インデックス画像を前記テレビモニタに出力するように構成することができる（請求項２）。
【００１３】
この発明の映像受信装置によると、映像受信装置の電源をオンすると、テレビモニタに複合インデックス画像が表示される。これにより、この複合インデックス画像の表示により、映像受信装置によって視聴できる放送チャンネルの概要と、映像受信装置に接続される再生手段によって再生される記録媒体の記録内容の概要を容易に確認することができる。
【００１４】
また、前記複合インデックス画像を表示する映像受信装置について、テレビモニタの一画面にわたって表示される画像を分割して前記一画面に表示する処理を行う画面分割部を備え、
前記画面分割部により前記複合インデックス画像を前記記録媒体サムネイルインデックス画像と前記放送チャンネルインデックス画像とに分割し、
前記記録媒体サムネイルインデックス画像を前記テレビモニタの一画面の第一の領域に表示するとともに、前記放送チャンネルインデックス画像を前記テレビモニタの一画面の第二の領域に表示するように構成することができる（請求項３）。
【００１５】
この発明の映像受信装置によると、前記複合インデックス画像を記録媒体サムネイルインデックス画像と放送チャンネルインデックス画像とに分割してテレビモニタの一画面に表示する。これにより、放送チャンネルの概要と再生手段により再生される記録内容の概要とを区別して容易に確認することができる。
【００１６】
また、記録媒体サムネイルインデックス画像を表示する映像受信装置（請求項１）に前記再生手段が複数接続されており、各々の前記再生手段によって再生される記録媒体の各々に記録媒体サムネイルインデックス画像が記録される場合に、
当該映像受信装置を、テレビモニタに出力する画像を形成するための画像形成部を備え、
前記記録媒体の複数より前記記録媒体サムネイルインデックス画像の複数を読み出し、読み出した複数の記録媒体サムネイルインデックス画像より一画像からなる記録媒体合成インデックス画像を画像形成部において合成するようにされており、
映像受信装置の電源がオンされると、前記記録媒体合成インデックス画像をテレビモニタに表示するように構成することができる（請求項４）。
【００１７】
この発明の映像受信装置によると、電源がオンされると、テレビモニタに前記記録媒体合成インデックス画像を表示することができる。これにより、複数の再生手段によって再生される各々の記録媒体の記録内容を容易に確認することができる。
【００１８】
また、前記再生手段として、当該映像受信装置の本体内に設置されるものを設けることができる（請求項５）。
【００１９】
また、前記再生手段として、当該映像受信装置以外の外部の装置として設置された再生装置を接続することもできる（請求項６）。そして、この再生装置と、前記映像受信装置（請求項６）とによって映像受信システムを構成することもできる。
【００２０】
【発明の実施の形態】
以下、図１乃至図１２に基づき本発明の実施の形態について説明する。図１には、本発明の一実施形態である映像受信装置１が示される。図１には、映像受信装置１とＨＤＤ（ハードディスクドライブ）記録再生装置３０とにより構成される映像受信システムが示されている。
【００２１】
図１に示される映像受信装置１は、テレビモニタ２がその本体１ａに組み込まれている。映像受信装置１を使用するユーザは、このテレビモニタ２をとおして、受信した放送チャンネルの放送内容、後に説明するＤＶＤ（ディジタルバーサタイルディスク）記録再生手段２０やＨＤＤ記録再生装置３０によって再生した各々のディスクに記録される録画ファイル等を視聴することができる。
【００２２】
また、映像受信装置１の本体１ａの正面部分にはＤＶＤディスク挿入部８が設けられている。このＤＶＤディスク挿入部８をとおして、本体１ａ内に設けられるＤＶＤ記録再生手段２０にＤＶＤディスクを装填することができ、ＤＶＤディスクをＤＶＤ記録再生手段２０より取り出すことができる。
【００２３】
また、映像受信装置１の本体１ａの正面部分には、操作パネル６が設けられている。操作パネル６には、映像受信装置１の電源をオン／オフするためのメイン電源スイッチ６ａが設けられている。このメイン電源スイッチ６ａをオンすることにより映像受信装置１に電力を供給することができ、メイン電源スイッチ６ａをオフすることにより電力の供給を停止させることができる。
【００２４】
映像受信装置１は、操作用リモコン３によって操作することができる。操作用リモコン３には、映像受信装置１を操作するための各種の操作キーが設けられている。操作用リモコン３は、操作キーの一つとして電源キー３ａを備えている。
【００２５】
ユーザがメイン電源スイッチ６ａをオンした状態で電源キー３ａをオフする操作を行うと、映像受信装置１は動作を停止する。また、この映像受信装置１の動作が停止した状態で、ユーザが電源キー３ａをオンする操作を行うと、映像受信装置１は動作を開始する。
【００２６】
また、操作用リモコン３には、操作メニュー表示キー、チャンネル選択キー、記録再生キーの他、映像受信装置１の操作に必要な各種の操作キーが設けられている。
【００２７】
前記操作メニュー表示キーは、映像受信装置１を動作させる条件を設定するための各種の操作メニューをテレビモニタ２のテレビ画面に出力するための操作キーである。
【００２８】
チャンネル選択キーは、視聴したい放送チャンネルをユーザが選択するための操作キーである。チャンネル選択キーにより放送チャンネルを選択すると、選択した放送チャンネルの受信周波数がチューナ５に設定され、該選択した放送チャンネルの放送内容をテレビモニタ２により視聴することができる。
【００２９】
記録再生キーは、ＤＶＤ記録再生手段２０やＨＤＤ記録再生装置３０を動作させるための操作キーである。
【００３０】
なお、この映像受信装置１を実施するにあたり、後に説明する放送チャンネルインデックス画像や記録媒体サムネイルインデックス画像をテレビモニタ２に表示するための特定の表示専用キーを操作用リモコン３に設けることもできる。
【００３１】
そして、この特定の表示専用の操作キーが操作されると、映像受信装置１を電源オンした後に、放送チャンネルインデックス画像や記録媒体サムネイルインデックス画像をテレビモニタ２に表示するようにできる。
【００３２】
次に、映像受信装置１のブロックについて、図２に基づいて説明する。図２は、映像受信装置１にＨＤＤ記録再生装置３０を接続した状態のブロック図である。映像受信装置１は、図２に示されるように、チューナ５とメインマイクロコンピュータ（以下、「メインマイコン」と略す）１０と外部メモリ１７とＤＶＤ記録再生手段２０と操作パネル６とリモコン受光部７と表示処理部１８とテレビモニタ２とを備えている。
【００３３】
チューナ５にはアンテナが接続されている。チューナ５は、受信するべき放送チャンネルの放送波を選択して受信する。チューナ５には、後に説明する選局処理部１２により、受信するべき放送チャンネル（放送チャンネルに割り当てられる特定の周波数）が設定される。
【００３４】
そして、チューナ５が設定された放送チャンネルを受信すると、この放送チャンネルの放送信号（映像信号や音声信号）は、チューナ５から選局処理部１２へ出力される。
【００３５】
メインマイコン１０は、映像受信装置１の全体の制御を行う。メインマイコン１０はＣＰＵ（中央演算処理装置）、ＲＯＭ（読み出し専用メモリ）及びＲＡＭ（読み書き可能メモリ）を備えている。
【００３６】
メインマイコン１０には、外部メモリ１７が接続されている。外部メモリ１７は、メインマイコン１０による読み出しと書き込みが可能に構成されている。この外部メモリ１７は、Ｅ２ＰＲＯＭにより構成することができる。
【００３７】
メインマイコン１０には、制御部１１、選局処理部１２、抽出部１６、画像形成部１３、画面分割部１４及び表示制御部１５が形成されている。メインマイコン１０に形成されるこれらの各部は、ＲＯＭ内の演算処理が可能なプログラムによってモジュール化されている。
【００３８】
制御部１１は、メインマイコン１０の動作の制御を行う。制御部１１がメインマイコン１０の各部を制御することにより、メインマイコン１０が映像受信装置１の動作を制御する。
【００３９】
選局処理部１２は、チューナ５に受信するべき放送チャンネル（の特定の周波数）の設定を行う。選局処理部１２には、受信するべき放送チャンネルの受信周波数のデータが制御部１１より入力される。
【００４０】
制御部１１は、受信するべき放送チャンネルの受信周波数のデータを外部メモリ１７より読み込む。外部メモリ１７には、映像受信装置１によって受信するこが可能な放送チャンネルの受信周波数のデータが記憶されている。なお、映像受信装置１が受信可能な放送チャンネルとその受信周波数のデータとは、放送チャンネルの自動プリセットにより、予め外部メモリ１７に記憶されている。
【００４１】
後に説明する放送チャンネルインデックス画像を形成するモードとされると、制御部１１は、各放送チャンネルの受信周波数のデータを外部メモリ１７より順次に読み込むとともに選局処理部１２に入力する。
【００４２】
チューナ５が受信するべき放送チャンネルを設定され、この放送チャンネルの放送信号（映像信号及び／又は音声信号）を受信すると、チューナ５が受信した放送信号はチューナ５から選局処理部１２へ入力される。選局処理部１２に入力された映像信号は、以下のように処理される。
【００４３】
映像受信装置１が特定の放送チャンネルを受信してテレビモニタ２に放送内容を出力するテレビモードとされた場合には、選局処理部１２に入力された映像信号は、後に説明する抽出部１６の内部映像入力部１６ａに入力される。
【００４４】
一方、映像受信装置１が放送チャンネルインデックス画像を形成するモードとされた場合には、選局処理部１２に入力された映像信号は、制御部１１に入力され、制御部１１から図示されない放送チャンネルインデックス画像記憶部に入力される。
【００４５】
そして、放送チャンネルインデックス画像記憶部では、制御部１１より入力された映像信号に基づき放送チャンネルインデックス画像が形成される。この放送チャンネルインデックス画像は、受信可能な放送チャンネルのインデックスにあたるインデックス映像によって構成され、一フレームに一つの放送チャンネルのインデックス映像が表された複数のフレームにより構成されている。
【００４６】
この放送チャンネルインデックス画像を形成するにあたって、サムネイルインデックス画像により構成することができる。
【００４７】
なお、放送チャンネルインデックス画像を形成するための放送チャンネルインデックス画像記憶部は、外部メモリ１７に形成される。この放送チャンネルインデックス画像記憶部を、メインマイコン１０のＲＡＭに形成することもできる。
【００４８】
抽出部１６は、テレビモニタ２に映像を出力するにあたり映像信号の信号源を切り換える処理を行う。抽出部１６は、内部映像入力部１６ａと外部映像入力部１６ｂを備えている。
【００４９】
内部映像入力部１６ａには、テレビモードとされて受信した放送チャンネルの映像信号が前記選局処理部１２より入力される。また、内部映像入力部１６ａには、ＤＶＤ記録再生手段２０によりＤＶＤディスクの再生によって出力された映像信号が入力される。外部映像入力部１６ｂには、ＨＤＤ記録再生装置３０によりハードディスク（ＨＤ）の再生によって出力された映像信号が入力される。
【００５０】
内部映像入力部１６ａ及び外部映像入力部１６ｂは、映像信号の入力可能な状態又は入力不可能な状態となるように制御部１１によって制御される。制御部１１は、選局処理部１２、ＤＶＤ記録再生手段２０及びＨＤＤ記録再生装置３０の動作の状態及び映像受信装置１の動作モードに応じて、内部映像入力部１６ａ及び外部映像入力部１６ｂを制御する。そして、抽出部１６に入力された映像信号は、画像形成部１３に出力される。
【００５１】
画像形成部１３は、テレビモニタ２に出力する画像を形成する処理を行う。即ち、画像形成部１３は、入力された映像信号に基づきテレビモニタ２の一画面に表示する画像を形成する処理を行う。
【００５２】
画像形成部１３には、前記抽出部１６より映像信号が入力される。画像形成部１３には、後に説明するＤＶＤ記録再生手段２０より出力された内部記録媒体サムネイルインデックス画像、ＨＤＤ記録再生装置３０より出力された外部記録媒体サムネイルインデックス画像が入力される。
【００５３】
そして、画像形成部１３では、前記放送チャンネルインデックス画像と記録媒体サムネイルインデックス画像とが一画像に合成された複合インデックス画像が形成される。複合インデックス画像を形成するにあたり、内部記録媒体サムネイルインデックス画像又は外部記録媒体サムネイルインデックス画像と放送チャンネルインデックス画像とが合成される。
【００５４】
また、画像形成部１３では、内部記録媒体サムネイルインデックス画像と外部記録媒体サムネイルインデックス画像とを一画像に合成した記録媒体合成インデックス画像が形成される。
【００５５】
テレビモニタ２のテレビ画面の一画面に表示する画像に形成するため、映像信号に基づく映像を縮小し又は拡大する処理は、この画像形成部１３において行われる。
【００５６】
また、前記放送チャンネルインデックス画像、内部記録媒体サムネイルインデックス画像、外部記録媒体サムネイルインデックス画像を縮小し又は拡大する処理は、画像形成部１３において行われる。また、前記複合インデックス画像、記録媒体合成インデックス画像を形成するにあたり、要素となる画像を縮小する処理は、画像形成部１３で行われる。
【００５７】
また、画像形成部１３において複合インデックス画像や記録媒体合成インデックス画像は、その要素となる放送チャンネルインデックス画像等が後に説明する操作メニューの画面分割表示に関する項目で設定された条件でテレビモニタ２の画面に配置されるように形成される。
【００５８】
画像形成部１３で形成された画像（に対応する映像信号）は、画面分割部１４に入力される。画面分割部１４は、テレビモニタ２のテレビ画面に表示する画像を複数の領域に分割する処理を行う。即ち、画面分割部１４は、画像形成部１３でテレビモニタ２の一画面に対応させて形成された画像を複数の領域に分割する処理を行う。
【００５９】
画面分割部１４は、入力された画像を設定された画面分割の条件に従って分割する。この画面分割の条件は、後に説明する操作メニューの画面分割表示の項目で設定した条件に従って設定される。
【００６０】
なお、画像形成部１３で形成した画像をテレビモニタ２に出力するにあたり複数の領域に分割しない場合には、画面分割部１４に入力された画像は分割処理されることなく表示制御部１５に出力される。
【００６１】
表示制御部１５は、入力された画像（に対応する映像信号）に対して、テレビモニタ２に表示する大きさを調整する処理を行う。表示制御部１５は、例えば画面分割表示を行う場合に、二分割された画像の一方をテレビモニタ２の画面の２／３の大きさに表示するように調整し、分割された画像の他方をテレビモニタ２の画面の１／３の大きさに表示するように調整する。
【００６２】
表示制御部１５で処理された映像信号は、後に説明する表示処理部１８に出力される。
【００６３】
メインマイコン１０の制御部１１には、操作パネル６に設けられる操作ボタンのオン／オフの状態に対応する操作ボタン識別信号が入力される。そして、制御部１１は、操作ボタン識別信号に基づき操作ボタンのオン／オフの状態を検出し、対応する制御を行う。なお、電源ボタン６ａがオンされると、メインマイコン１０は、起動プログラムを実行し、映像受信装置１の動作を開始させる。
【００６４】
また、メインマイコン１０の制御部１１には、操作用リモコン３の操作キーを判別するための操作キー判別信号がリモコン受光部７より入力される。ユーザが操作用リモコン３の操作キーを操作すると、各操作キーに対して割り当てられる操作キー判別信号が操作用リモコン３より出力されリモコン受光部７に入力される。
【００６５】
メインマイコン１０の制御部１１は、リモコン受光部７より入力された操作キー判別信号に基づき、操作された操作キーの種類やそのオン、オフの状態を検出する。
【００６６】
また、マイコン１０のＲＯＭには、テレビモニタ２のテレビ画面に各種の操作メニューを表示するとともに、表示した操作メニューに基づきユーザの操作により入力された内容を読み込むための入力操作制御用のプログラムが格納されている。また、マイコン１０のＲＯＭには、映像受信装置１の動作の制御に必要な各種の制御プログラムが格納されている。
【００６７】
表示処理部１８は、入力された映像信号をテレビモニタ２に映像として出力するための処理を行う。表示処理部１８は、クロマＩＣを含む色信号処理回路や、偏向回路を備えている。この表示処理部１８は、テレビモニタ２に映像を表示するため、入力された映像信号に基づく水平走査及び垂直走査や輝度、色制御等の処理を行う。
【００６８】
表示処理部１８には、表示制御部１５より映像信号が入力される。そして、表示処理部１８に入力された映像信号は表示処理部１８で処理され、テレビモニタ２に出力される。
【００６９】
ＤＶＤ記録再生手段２０は、再生モードとされると、ＤＶＤディスク２３に記録される録画ファイル等の記録内容を再生する。また、ＤＶＤ記録再生手段２０は、記録モードとされると、ＤＶＤディスク２３に映像や音声を記録し、ＤＶＤディスク２３上で録画ファイルを編集する。
【００７０】
ＤＶＤディスク２３内には、複数の録画ファイルが各々一定のタイトルの下に管理されている。そして、ＤＶＤディスク２３内には、各録画ファイルのインデックス画像の集合によって構成される内部記録媒体サムネイルインデックス画像が記録されている。
【００７１】
ＤＶＤ記録再生手段２０は、ＤＶＤ用マイクロコンピュータ（以下、「ＤＶＤ用マイコン」という）２１と外部メモリ２２を備えている。ＤＶＤ用マイコン２１は、ＤＶＤ記録再生手段２０の動作の制御を行う。
【００７２】
ＤＶＤ用マイコン２１は、図示しないＣＰＵ（中央演算処理装置）とＲＯＭ（読み出し専用メモリ）とＲＡＭ（読み書き可能メモリ）を備えている。ＤＶＤ用マイコン２１のＲＯＭには、ＤＶＤ記録再生手段２０の動作を制御するための制御プログラムが格納されている。
【００７３】
ＤＶＤ用マイコン２１は、メインマイコン１０によって制御される。ＤＶＤ記録再生手段２０を動作させる条件は、テレビモニタ２にＤＶＤ操作メニューを表示し、ＤＶＤ操作メニューに基づく入力によって設定することができる。このＤＶＤ操作メニューに基づく入力は、操作用リモコン３を操作して行う。
【００７４】
ＨＤＤ記録再生装置３０は、再生モードとされると、ハードディスク（ＨＤ）３２に記録される録画ファイル等の記録内容を再生する。また、ＨＤＤ記録再生装置３０は、記録モードとされると、ハードディスク３２に映像や音声を記録し、ハードディスク上で録画ファイルを編集する。
【００７５】
ハードディスク３２内には、複数の録画ファイルが各々一定のタイトルの下に管理されている。そして、ハードディスク３２内には、各録画ファイルのインデックス画像の集合によって構成される外部記録媒体サムネイルインデックス画像が記録されている。
【００７６】
ＨＤＤ記録再生装置３０は、ＨＤＤ用マイクロコンピュータ（以下、「ＨＤＤ用マイコン」という）３１と図２に図示されない外部メモリを備えている。ＨＤＤ用マイコン３１は、ＨＤＤ記録再生装置３０の動作の制御を行う。
【００７７】
ＨＤＤ用マイコン３１は、図示しないＣＰＵ（中央演算処理装置）とＲＯＭ（読み出し専用メモリ）とＲＡＭ（読み書き可能メモリ）を備えている。ＨＤＤ用マイコン３１のＲＯＭには、ＨＤＤ記録再生装置３０の動作を制御するための制御プログラムが格納されている。
【００７８】
ＨＤＤ用マイコン３１は、映像受信装置１のメインマイコン１０によって制御される。ＨＤＤ記録再生装置３０を動作させる条件は、テレビモニタ２にＨＤＤ操作メニューを表示し、ＨＤＤ操作メニューに基づく入力によって設定することができる。このＨＤＤ操作メニューに基づく入力は、操作用リモコン３を操作して行う。
【００７９】
このＨＤＤ記録再生装置３０と映像受信装置１とを接続する方法、ならびにＨＤＤ記録再生装置３０と映像受信装置１間で通信する方法の一例について、図３を参酌しつつ説明する。
【００８０】
図３において、１０ａはメインマイコン１０のデータ端子であり、１０ｂはメインマイコン１０のクロック端子である。３１ａはＨＤＤ用マイコン３１のデータ端子であり、３１ｂはＨＤＤ用マイコン３１のクロック端子である。３３はＨＤＤ記録再生装置３０のＨＤＤ用マイコン３１に接続される外部メモリである。
【００８１】
映像受信装置１には、外部接続端子１９が設けられている。ＨＤＤ記録再生装置３０には、外部接続端子３６が設けられている。そして、映像受信装置１の外部接続端子１９とＨＤＤ記録再生装置３０の外部接続端子３６間には通信ケーブルＣＣが接続されている。
【００８２】
メインマイコン１０のデータ端子１０ａとＨＤＤ用マイコン３１のデータ端子３１ａとは、外部接続端子１９のデータピンと通信ケーブルＣＣ内のデータラインと外部接続端子３６のデータピンとを介して接続される。
【００８３】
また、メインマイコン１０のクロック端子１０ｂとＨＤＤ用マイコン３１のクロック端子３１ｂとは、外部接続端子１９のクロックピンと通信ケーブルＣＣ内のクロックラインと外部接続端子３６のクロックピンとを介して接続される。
【００８４】
そして、メインマイコン１０とＨＤＤ用マイコン３１とは、メインマイコン１０のデータ端子１０ａ及びクロック端子１０ｂとＨＤＤ用マイコン３１のデータ端子３１ａ及びクロック端子３１ｂを介してデータの送受信を行う。そして、これにより、メインマイコン１０とＨＤＤ用マイコン３１とは互いに制御し合うこともできる。メインマイコン１０とＨＤＤ用マイコン３１との間のデータの送受信にはシリアル通信手段が用いられる。
【００８５】
また、映像受信装置１とＨＤＤ記録再生装置３０とを接続するにあたり、ＩＥＥＥ（米国電気電子学会）１３９４の規格の一つであるＨＡＶｉ（Ｈｏｍｅ  Ａｕｄｉｏ  Ｖｉｄｅｏ  Ｉｎｔｅｒｏｐｅｒａｂｉｌｉｔｙ）に準拠した通信手段を設けることもできる。
【００８６】
また、映像受信装置１とＨＤＤ記録再生装置３０との間でデータの送受信を行にあたり、前記通信ケーブルＣＣを介して電気信号を送受信するのみならず、光ファイバを用いた光通信によって行うこともできる。また、映像受信装置１とＨＤＤ記録再生装置３０との間でデータの送受信を行うにあたり、赤外線を用いた無線通信によって行うこともできる。
【００８７】
次に、映像受信装置１を動作させる条件を設定するための操作メニューの例について、図４を参酌しつつ説明する。図４は、テレビモニタ２のテレビ画面に表示される操作メニューの一例である。
【００８８】
図４（ａ）には、操作メニューの表示に基づき入力操作する項目として、「時計合わせ」、「予約録画」、「チャンネル合わせ」、「ダブルウィンドウ選択」が表示されている。
【００８９】
図４（ａ）に示される項目のうち、「ダブルウィンドウ選択」は、テレビモニタ２の一画面に表示される一画像を複数の領域に分割して表示する画面分割表示の項目の一例である。この「ダブルウィンドウ選択」によると、電源をオンした際に複合インデックス画像や記録媒体合成インデックス画像を二つの領域に分割してテレビモニタ２の一画面に表示させる条件を設定することができる。
【００９０】
図４（ａ）に示される操作メニューの表示に基づき、「ダブルウィンドウ選択」を選択する。これにより、図４（ｂ）に示されるように、テレビモニタ２に画面を分割して表示するための条件が表示される。図４（ｂ）には、複合インデックス画像を二つに分割してテレビモニタ２に表示する条件の例が示される。
【００９１】
図４（ｂ）は、「ダブルウィンドウ」により表示するための指定内容として、テレビモニタ２の一画面の右側にＤＶＤディスク２３中の録画ファイルの一覧を示す内部記録媒体サムネイルインデックス画像を表示し、テレビモニタ２の一画面の左側にチューナ５により受信する放送チャンネルの一覧を示す放送チャンネルインデックス画像を表示することを示している。
【００９２】
そして、図４（ｂ）に示される操作メニューの表示に従って画面分割表示の条件を設定すると、図４（ｃ）に示されるように、入力した条件により「ダブルウィンドウ設定」をオン（ＯＮ）又はオフ（ＯＦＦ）するための操作メニューが表示される。
【００９３】
図４（ｃ）には、「ダブルウィンドウ設定」をオン（ＯＮ）に設定した例が示される。「ダブルウィンドウ設定」をオンに設定すると、映像受信装置１が電源オンされると、図４（ｂ）に示した操作メニューによって入力した条件により画面分割表示が行われる。
【００９４】
図５は、テレビモニタ２に表示した画面分割表示の例である。図５に示されるように、テレビモニタ２のテレビ画面には、複合インデックス画像が内部記録媒体サムネイルインデックス画像５１と放送チャンネルインデックス画像５２の二つに分割して表示されている。
【００９５】
テレビモニタ２の画面の右側（テレビ側から見て右側）にあたる第一の領域２ａには内部記録媒体サムネイルインデックス画像５１が表示されており、テレビモニタ２の画面の左側（テレビ側から見て左側）にあたる第二の領域２ｂには放送チャンネルインデックス画像５２が表示されている。
【００９６】
図５に示される例では、内部記録媒体サムネイルインデックス画像５１は、８フレームにより構成されている。各フレームは、ＤＶＤディスク２３に記録される各記録内容を示すインデックス画像により形成されている。
【００９７】
例えば、内部記録媒体サムネイルインデックス画像５１の右端の最上部のフレームには、２００３年４月３０日にテレビ放送の１２チャンネルで放映されたスポーツ番組の記録を表すインデックス画像が示されている。
【００９８】
また、図５に示される例では、放送チャンネルイルインデックス画像５２は、８フレームにより構成されている。各フレームは、映像受信装置１により受信可能な放送チャンネルを示すインデックス画像により形成されている。例えば、放送チャンネルインデックス画像５２の左端の最上部のフレームには、テレビ放送の３チャンネルを示すインデックス画像が示されている。
【００９９】
次に、映像受信装置１の動作の例について、図６に基づいて説明する。図６は、映像受信装置１の動作の手順を示すフローチャートである。図６は、テレビモニタ２に複合インデックス画像を表示し、特定の放送チャンネルや記録媒体中の特定の記録内容を視聴するべく映像受信装置１を動作させる手順を示している。
【０１００】
映像受信装置１の電源がオンされると（Ｓ１）、ダブルウィンドウ設定が有ったか否か判断する（Ｓ２）。ダブルウィンドウ設定がされていない場合には（Ｓ２、ＮＯ）、映像受信装置１を通常に電源オンする（Ｓ３）。
【０１０１】
一方、ダブルウィンドウ設定がされている場合（Ｓ２、ＹＥＳ）、複合インデックス画像を二画面分割表示によって表示するように制御を開始する（Ｓ４）。テレビモニタ２のテレビ画面の左側の領域と右側の領域に表示する条件として設定された指定内容を読み込む（Ｓ５）。
【０１０２】
Ｓ５において読み込む指定内容は、ダブルウィンドウ設定を行った操作メニュー中で複合インデックス画像を分割して表示する条件として設定された内容である。
【０１０３】
そして、Ｓ５において読み込んだ指定内容に基づき、内部記録媒体サムネイルインデックス画像と放送チャンネルインデックス画像とを画像形成部１３に読み込むとともに、複合インデックス画像に合成する。
【０１０４】
そして、Ｓ５において読み込んだ指定内容に基づき、複合インデックス画像を画面分割部１４において内部記録媒体サムネイルインデックス画像と放送チャンネルインデックス画像とに分割する。
【０１０５】
そして、Ｓ５において読み込んだ指定内容に基づき、テレビモニタ２の画面の左右の領域に内部記録媒体サムネイルインデックス画像と放送チャンネルインデックス画像を表示する（Ｓ６）。
【０１０６】
次に、テレビモニタ２に表示された内部記録媒体サムネイルインデックス画像及び放送チャンネルインデックス画像に基づき、視聴を希望する放送チャンネル又は録画ファイルを選択する（Ｓ７）。この選択は、テレビモニタ２に表示されるインデックス画像中の希望するフレームを選択して確定する操作によって行う。
【０１０７】
次に、テレビモニタ２の二画面分割表示を解除する（Ｓ８）。そして、Ｓ７で選択したフレームに対応する放送チャンネルを受信し、又はＳ７で選択したフレームに対応する録画ファイルの再生を行い（Ｓ９）、選択した放送内容又は録画ファイルの内容がテレビモニタ２に出力される。
【０１０８】
以上の説明では、図５に示されるように、記録媒体サムネイルインデックス画像５１や放送チャンネルインデックス画像５２が多数のフレームにより構成される例を示した。これらのインデックス画像は一フレームにより構成されるものでもよい。
【０１０９】
図７は、一フレームにより構成された記録媒体サムネイルインデックス画像５１及び放送チャンネルインデックス画像５２を画面分割表示により表示した例である。
【０１１０】
また、以上の説明では、二画面分割表示を行うにあたり、テレビモニタ２の画面に左右に分割して表示する例を挙げたが、テレビモニタ２の画面に上下に分割して表示することもできる。
【０１１１】
また、図５及び図７により示される例では、複合インデックス画像を内部記録媒体サムネイルインデックス画像５１と放送チャンネルインデックス画像５２とに分割して表示する例を示したが、複合インデックス画像を分割せずに表示することもできる。
【０１１２】
図８は、複合インデックス画像を分割することなくテレビモニタ２に表示した例である。図８に示されるように、内部記録媒体サムネイルインデックス画像５１と放送チャンネルインデックス画像５２とを分割することなくテレビモニタ２に表示することもできる。
【０１１３】
また、以上の図５、図７、図８に示した例では、内部記録媒体サムネイルインデックス画像５１と放送チャンネルインデックス画像５２により構成される複合インデックス画像を表示する例を示した。
【０１１４】
映像受信装置１が電源オンされた際にテレビモニタ２に表示する複合インデッツクス画像を、外部記録媒体サムネイルインデックス画像と放送チャンネルインデックス画像とにより構成することもできる。
【０１１５】
また、以上の説明では、複合インデックス画像を表示する例を挙げたが、放送チャンネルインデックス画像、内部記録媒体サムネイルインデックス画像又は外部記録媒体サムネイルインデックス画像を単独でテレビモニタ２に表示させることもできる。
【０１１６】
そして、これらの放送チャンネルインデックス画像、内部記録媒体サムネイルインデックス画像又は外部記録媒体サムネイルインデックス画像を単独で表示させる場合に、一のインデックス画像を表示した後の一定時間後に他のインデックス画像に切り替えて表示させることもできる。例えば、電源オンした後に放送チャンネルインデックス画像を所定時間表示し、その一定時間後に内部記録媒体サムネイルインデックス画像を表示させることもできる。
【０１１７】
次に、ＨＤＤ記録再生装置３０に記録される外部記録媒体サムネイルインデックス画像を表示させる場合について、図９、図１０を参酌しつつ説明する。図９は、テレビモニタ２に表示される操作メニューの一例であり、放送チャンネルインデックス画像や記録媒体サムネイルインデックス画像を表示する条件を設定するための操作メニューを示している。
【０１１８】
図９（ａ）には、操作メニューの表示に基づき入力操作する項目として、「時計合わせ」、「予約録画」、「チャンネル合わせ」、「表示選択」が表示されている。図９（ａ）に示される項目のうち、「表示選択」は、電源オンした際にテレビモニタ２に表示する画像を選択するための項目である。この「表示選択」によると、電源をオンした際にテレビモニタ２に放送チャンネルインデックス画像や記録媒体サムネイルインデックス画像を表示する条件を設定することができる。
【０１１９】
図９（ａ）に示される操作メニューの表示に基づき、「表示選択」を選択する。これにより、図９（ｂ）に示されるように、電源オンした際にテレビモニタ２に表示する画像を設定するためのメニューがテレビモニタ２に表示される。
【０１２０】
図９（ｂ）には、設定内容として「１．録画ファイル」、「２．チューナ」を選択できるように設けられたメニューが表示されている。「１．録画ファイル」の項目には、「外部」の項目が設けられている。
【０１２１】
図９（ｂ）に示される「録画ファイル」の「外部」の項目は、外部の装置であるＨＤＤ記録再生装置３０の録画ファイルに対する外部記録媒体サムネイルインデックス画像を選択するための項目である。
【０１２２】
また、図９（ｂ）に示される「録画ファイル」の項目には、「内部」の項目が設けられている。この「録画ファイル」の「内部」の項目は、映像受信装置１の本体内に設けられる記録再生手段の録画ファイルに対する内部記録媒体サムネイルインデックス画像を選択するための項目である。そして、「１．録画ファイル」の「内部」の項目として、「ＤＶＤ」、「ＨＤＤ」、「ＶＴＲ」が表示されている。
【０１２３】
また、図９（ｂ）に示される「２．チューナ」の項目は、チューナ５により受信する放送チャンネルに対する放送チャンネルインデックス画像を選択するための項目である。
【０１２４】
図９（ｂ）には、電源オンに際してテレビモニタ２にインデックス画像を表示するにあたり、「１．録画ファイル」の「外部」に設定した例が示されている。
【０１２５】
そして、図９（ｂ）に示される操作メニューに従ってインデックス画像を表示する条件を設定すると、図９（ｃ）に示されるように、入力した条件により「自動マルチ画面設定」をオン（ＯＮ）又はオフ（ＯＦＦ）するための操作メニューが表示される。
【０１２６】
図９（ｃ）には、「自動マルチ画面設定」をオン（ＯＮ）に設定した例が示される。「自動マルチ画面設定」をオンに設定すると、映像受信装置１が電源オンされると、図９（ｂ）に示したメニューによって設定された条件によりインデックス画像が表示される。
【０１２７】
次に、映像受信装置１が外部記録媒体サムネイルインデックス画像を表示する動作の例について、図１０により説明する。図１０は、映像受信装置１が外部記録媒体サムネイルインデックス画像を表示する動作の手順を示すフローチャートである。
【０１２８】
映像受信装置１の電源がオンされると（Ｓ１１）、自動マルチ画面設定が有ったか否か判断する（Ｓ１２）。自動マルチ画面設定がされていない場合には（Ｓ１２、ＮＯ）、映像受信装置１を通常に電源オンする（Ｓ１３）。
【０１２９】
なお、操作用リモコン３に前記特定の表示専用キーが設けられ、この特定の表示専用キーの操作によって電源オンされた場合（Ｓ１１）、この特定の表示専用キーの操作はＳ１３において無効とされる。
【０１３０】
一方、自動マルチ画面設定がされている場合（Ｓ１２、ＹＥＳ）、外部接続されているＨＤＤ記録再生装置３０に外部記録媒体サムネイルインデックス画像の送信を要求する（Ｓ１４）。
【０１３１】
Ｓ１４で行った送信の要求に対してＨＤＤ記録再生装置３０からの返信が検出されない場合（Ｓ１５、ＮＯ）、３回の要求中に返信がなければ外部接続されている装置はないとみなし、外部記録媒体サムネイルインデックス画像の読み込みを中止する（Ｓ１６）。
【０１３２】
ＨＤＤ記録再生装置３０より返信が有ったことを検出すると（Ｓ１５、ＹＥＳ）、ＨＤＤ記録再生装置３０より外部記録媒体サムネイルインデックス画像のデータを読み込む（Ｓ１７）。
【０１３３】
次に、Ｓ１７で読み込んだ外部記録媒体サムネイルインデックス画像を映像受信装置１の外部メモリ１７又は記録媒体２３に記憶する（Ｓ１８）。次に、前記操作メニューの「表示選択」によって設定した設定内容に従って、外部記録媒体サムネイルインデックス画像をテレビモニタ２に表示する（Ｓ１９）。
【０１３４】
以上に説明した手順では、ＨＤＤ記録再生装置３０より映像受信装置１に外部記録媒体サムネイルインデックス画像を送信するようにし、この外部記録媒体サムネイルインデックス画像をテレビモニタ２に表示する例を挙げた（Ｓ１４〜Ｓ１９）。
【０１３５】
テレビモニタ２に外部記録媒体サムネイルインデックス画像を表示するにあたり、以下のようにすることもできる。映像受信装置１にサムネイルインデックス画像を形成するためのサムネイル形成手段を設ける。
【０１３６】
そして、映像受信装置１がＨＤＤ記録再生装置３０に録画ファイルを送信させる。映像受信装置１は、サムネイル形成手段により送信された録画ファイルに基づき外部記録媒体サムネイルインデックス画像を形成し、形成された外部記録媒体サムネイルインデックス画像をテレビモニタ２に表示する。
【０１３７】
また、以上に説明した映像受信装置１をさらに以下のように構成し、以下のように動作させることもできる。映像受信装置１の本体１ａ内に、ＤＶＤ記録再生手段２０に加えてＨＤＤ記録再生手段（以下、「内部ＨＤＤ記録再生手段」という）を設ける。
【０１３８】
そして、電源オンに際してテレビモニタ２に表示させるインデックス画像を、図１１に示されるように構成する。図１１は、テレビモニタ２に画面分割表示によって表示されたインデックス画像の一例である。
【０１３９】
図１１に示される例では、テレビモニタ２の第一の領域２ａに記録媒体サムネイルインデックス画像６１が表示され、第二の領域２ｂに記録媒体サムネイルインデックス画像６２が表示されている。
【０１４０】
記録媒体サムネイルインデックス画像６１は、内部ＨＤＤ記録再生手段のハードディスク（ＨＤ）に記録される録画ファイルのインデックスを示すサムネイルインデックス画像である。
【０１４１】
記録媒体サムネイルインデックス画像６２は、ＤＶＤ記録再生手段２０のＤＶＤディスク２３に記録される録画ファイルのインデックスを示すサムネイルインデックス画像である。
【０１４２】
そして、この記録媒体サムネイルインデックス画像６１中の特定のフレームを選択することにより、このフレームに対応する録画ファイルをＤＶＤ記録再生手段２０によっていわゆるダビングを行うように映像受信装置１を動作させる。
【０１４３】
例えば、記録媒体サムネイルインデックス画像６１の右端の最上部のフレームを選択し、このフレームを確定する操作を行うと、このフレームに対応する録画ファイルをＤＶＤ記録再生手段２０によってＤＶＤディスク２３に記録するように映像受信装置１を動作させる。
【０１４４】
図１２は、記録媒体サムネイルインデックス画像６１に基づきダビングを行うダビングモードの画面の表示の例を示している。図１２（ａ）はダビングを行う条件を確認するためのテレビモニタ２の表示である。図１２（ｂ）はダビングを開始した後のテレビモニタ２の表示である。
【０１４５】
図１１に示される記録媒体サムネイルインデックス画像６１のフレームを選択して確定する操作を行うと、ダビングを行う条件が図１２（ａ）に示されるようにテレビモニタ２に表示される。
【０１４６】
そして、ダビングを開始する操作を行うと（例えば、ＥＮＴＥＲキーの操作）、テレビモニタ２の表示が図１２（ｂ）に示されるように変わり、ダビングが開始され、内部ＨＤＤ記録再生手段により再生された録画ファイルがＤＶＤ記録再生手段２０によって記録される。
【０１４７】
以上の説明では、記録再生手段としてＤＶＤ記録再生手段２０やＨＤＤ記録再生装置３０を用いる例を挙げた。本発明にかかる映像受信装置又は映像受信システムを実施するにあたり、記録再生手段は記録媒体に記録される映像や音声を再生するとともに、記録媒体に映像や音声を記録できるものであればよい。例えば記録再生手段として、ＶＴＲ（ビデオテープレコーダ）を用いることもできる。
【０１４８】
また、以上の説明では記録再生手段を用いる例を挙げたが、本発明を実施するにあたって、記録手段を備えない再生手段を用いることもできる。
【０１４９】
即ち、本発明にかかる映像受信装置を実施するにあたり、再生手段を用いることができれば、記録手段を用いなくとも、記録媒体中に記録される記録媒体サムネイルインデックス画像をテレビモニタに表示できるからである。
【０１５０】
【発明の効果】
以上説明したように、本発明によると、映像受信装置の電源をオンした際に、記録媒体サムネイルインデックス画像や放送チャンネルインデックス画像をテレビモニタに表示することができる。これにより、視聴可能な放送チャンネルや記録媒体に記録される録画ファイルの確認を容易に行うことができる。
【０１５１】
そして、表示された記録媒体サムネイルインデックス画像や放送チャンネルインデックス画像に基づき、特定の録画ファイルや放送チャンネルを選択して視聴することができる。
【図面の簡単な説明】
【図１】本発明の一実施形態である映像受信装置を示す図である。
【図２】映像受信装置のブロック図である。
【図３】映像受信装置とＨＤＤ記録再生装置の接続を示す図である。
【図４】テレビモニタに表示する操作メニューの一例である。
【図５】テレビモニタに表示する複合インデックス画像の一例である。
【図６】映像受信装置を動作させる手順の一例のフローチャートである。
【図７】画面分割表示によりテレビモニタに表示する画像の一例である。
【図８】テレビモニタに表示する複合インデックス画像の一例である。
【図９】テレビモニタに表示する操作メニューの一例である。
【図１０】映像受信装置を動作させる手順の一例のフローチャートである。
【図１１】画面分割表示によりテレビモニタに表示する画像の一例である。
【図１２】ダビングモードの実行に関するテレビモニタの表示の例である。
【符号の説明】
１    映像受信装置
２    テレビモニタ
３    操作用リモコン
３ａ  電源オン／オフキー
５    チューナ
６    操作パネル
６ａ  電源ボタン
７    リモコン受光部
８    ディスク挿入部
１０    メインマイコン
１０ａ  データ端子
１０ｂ  クロック端子
１１    制御部
１２    選局処理部
１３    画像形成部
１４    画面分割部
１５    表示制御部
１６    抽出部
１６ａ  内部映像入力部
１６ｂ  外部映像入力部
１７    外部メモリ
１８    表示処理部
２０    ＤＶＤ記録再生手段
２１    ＤＶＤ用マイコン
２２    外部メモリ
２３    記録媒体（ＤＶＤディスク）
３０    ＨＤＤ記録再生装置
３１    ＨＤＤ用マイコン
３１ａ  データ端子
３１ｂ  クロック端子
３２    記録媒体（ハードディスク）
３３    外部メモリ
【図１】
2005020597.tif 000003
【図２】
2005020597.tif 000004
【図３】
2005020597.tif 000005
【図４】
2005020597.tif 000006
【図５】
2005020597.tif 000007
【図６】
2005020597.tif 000008
【図７】
2005020597.tif 000009
【図８】
2005020597.tif 000010
【図９】
2005020597.tif 000011
【図１０】
2005020597.tif 000012
【図１１】
2005020597.tif 000013
【図１２】
2005020597.tif 000014